(57)【特許請求の範囲】
【請求項１】
筒状部を有するフィードホーンと、前面側に導電部が設けられ、後面側に種々の電気部品を取り付けた回路基板と、前面側と後面側の両側に開放部を有する金属板からなる枠体と、金属製のカバーとを備え、前記枠体は、内部を区画する区画壁によって形成された導波管部を有し、前記回路基板は、前記フィードホーンの前記筒状部に対向して設けられた複数の孔によって形成された架橋片と、この架橋片の前記前面側に設けられた第１の短絡部と、前記架橋片の前記後面側に設けられ、前記第１の短絡部と直交する方向に延びた第２のプローブと、前記第１の短絡部と対向した状態で取り付けられたＬ字状をなす第１のプローブを有し、前記枠体の前面側の前記開放部には、前記電気部品を前記枠体内に位置させた状態で前記回路基板を取り付けると共に、前記回路基板には、前記電気部品を取り付けた面と反対面である前記前面側に前記フィードホーンを取り付けて、前記導波管部と前記フィードホーンが対向する領域には、前記第１の短絡部、前記第１のプローブ、及び前記第２のプローブが配置され、前記枠体の前記後面側の前記開放部には、前記カバーを取り付け、前記導波管部と対向する前記カバーの面を第２の短絡部としてなる組立体を有することを特徴とする衛星放送受信用コンバータ。
【請求項２】
前記組立体にはコネクタを有すると共に、合成樹脂からなる第１と第２のケースを有し、前記第１と第２のケースで、前記コネクタの一部を除いて前記組立体の全周を覆うと共に、前記第１と第２のケース内を密封したことを特徴とする請求項１記載の衛星放送受信用コンバータ。
【請求項３】
前記第１のケースは、前記フィードホーンを覆うコップ状部と、前記組立体の前面側を覆う箱状部とを有し、また、前記第２のケースは、前記組立体の後面側を覆う箱形部を有し、前記第１と第２のケースを前記組立体の前、後面側から覆うようにしたことを特徴とする請求項２記載の衛星放送受信用コンバータ。
【発明の詳細な説明】
【０００１】
【発明の属する技術分野】
本発明は、屋外に設置される衛星放送受信用コンバータに関し、特に、小型で、安価なコンバータに関する。
【０００２】
【従来の技術】
従来の衛星放送受信用コンバータを図３に基づいて説明すると、亜鉛ダイキャストからなる筺体３１は、前面壁３１ａとその四方の周囲に設けられた側壁３１ｂを有し、後面側が開放された箱形部３１ｃと、前面壁３１ａから前方に突出し、導波管部を構成するフィードホーン部３１ｄとを有し、その側壁３１ｂには、コンバータから屋内に導くためのコネクタ３２が取り付けられている。
また、亜鉛ダイキャストからなり、前面側が開放された枠体３３は、後面壁３３ａと、後面壁３３ａの四方の周囲に設けられた側壁３３ｂと、枠体３３内を区画する区画壁３３ｃと、後面壁３３ａから枠体３３内に突出し、導波管部を構成する筒状部３３ｄと、後面壁３３ａの隅部にに設けられた複数個の孔３３ｅとを有する。
【０００３】
また、プリント基板等からなる回路基板３４は、銅箔等からなり、前面側のほぼ全面に設けられた導電部３４ａ（斜線部分）と、フィードホーン部３１ｄに対向して設けられた３個の孔３４ｂによって形成された架橋片の上面に設けられた第１の短絡部３４ｃ、架橋片の下面に設けられた第２のプローブ３４ｄと、回路基板３４の隅部に設けられた孔３４ｅとを有する。
また、回路基板３４の後面側には、導電パターン（図示せず）が設けられて、受信回路を構成する種々の電気部品（図示せず）が搭載されている。
また、Ｌ字状の第１のプローブ３５は、回路基板３４の前面側に取り付けられ、そして、第１のプローブ３５を取り付けた回路基板３４は、枠体３３の全面開放部に載置されて、回路基板３４の後面側の電気部品が区画壁３３ｃによってシールドされた状態となっている。
【０００４】
このようにして組み合わされた回路基板３４と枠体３３は、筺体３１の箱形部３１ｃ内に収納され、孔３３ｅ、３４ｅにネジ３６を挿通して、ネジ３６を筺体３１にねじ込みすることにより、回路基板３４と枠体３３を箱形部３１ｃ内に取り付けている。
この時、第１のプローブ３５は、フィードホーン部３１ｄ内に位置すると共に、回路基板３４の３個の孔３４ｂの前面側は、フィードホーン部３１ｄの内周面で囲まれ、第１のプローブ３５に対して回路基板３４の第１の短絡部３４ｃが短絡面となり、第１のプローブ３５と第１の短絡部３４ｃ間が１／４波長となり、また、回路基板３４の３個の孔３４ｂの後面側は、枠体３３の筒状部３３ｄで囲まれ、回路基板３４に設けられた第２のプローブ３４ｄに対して、枠体３３の筒状部３３ｄ内に位置する後面壁３３ａからなる第２の短絡部（図示せず）が短絡面となり、第２のプローブ３４ｄと第２の短絡部間が１／４波長となっている。
【０００５】
また、カバー３７は、金属板からなり、このカバー３７は、筺体３１の箱形部３１ｃの後面側開放部を覆うように箱形部３１ｃに取り付けられている。
また、３個のケース３８、３９、４０は、合成樹脂の成型品からなり、ケース３８は、箱形部３１ｃの上方部を覆う箱部３８ａと、フィードホーン部３１ｄの上方の外側の半周部分を覆う半筒状部３８ｂとを有し、また、ケース３９は、箱形部３１ｃの下方部を覆う箱部３９ａと、フィードホーン部３１ｄの下方の外側の半周部分を覆う半筒状部３９ｂとを有し、更に、ケース４０は、コップ状をなし、フィードホーン部３１ｄの前方の開口部を覆うようになっている。
【０００６】
そして、ケース３８で、筺体３１の上方部を覆うと共に、ケース３９で、コネクタ３２の一部を露出した状態で筺体３１の下方部を覆って、ケース３８と３９を互いに適宜手段で結合し、また、ケース４０で、パッキン４１を介してフィードホーン部３１ｄの前面部を覆って、ケース３８、３９、４０内を密封し、ケース３８、３９、４０内を防水している。
【０００７】
【発明が解決しようとする課題】
従来の衛星放送受信用コンバータは、筺体３１が箱形部３１ｃを備えているため、その箱形部３１ｃのスペース部分だけ大きくなり、大型になるばかりか、箱形部３１ｃの材料費が必要で、コスト高になるという問題がある。
また、筺体３１を覆うケース３８、３９、４０は、３個で構成されているため、その製造費が高く、コスト高になるばかりか、その組立にも手間がかかり、組立性が悪く、コスト高になるという問題がある。
【０００８】
【課題を解決するための手段】
上記課題を解決するための第１の解決手段として、筒状部を有するフィードホーンと、前面側に導電部が設けられ、後面側に種々の電気部品を取り付けた回路基板と、前面側と後面側の両側に開放部を有する金属板からなる枠体と、金属製のカバーとを備え、前記枠体は、内部を区画する区画壁によって形成された導波管部を有し、前記回路基板は、前記フィードホーンの前記筒状部に対向して設けられた複数の孔によって形成された架橋片と、この架橋片の前記前面側に設けられた第１の短絡部と、前記架橋片の前記後面側に設けられ、前記第１の短絡部と直交する方向に延びた第２のプローブと、前記第１の短絡部と対向した状態で取り付けられたＬ字状をなす第１のプローブを有し、前記枠体の前面側の前記開放部には、前記電気部品を前記枠体内に位置させた状態で前記回路基板を取り付けると共に、前記回路基板には、前記電気部品を取り付けた面と反対面である前記前面側に前記フィードホーンを取り付けて、前記導波管部と前記フィードホーンが対向する領域には、前記第１の短絡部、前記第１のプローブ、及び前記第２のプローブが配置され、前記枠体の前記後面側の前記開放部には、前記カバーを取り付け、前記導波管部と対向する前記カバーの面を第２の短絡部としてなる組立体を有する構成とした。
また、第２の解決手段として、前記組立体にはコネクタを有すると共に、合成樹脂からなる第１と第２のケースを有し、前記第１と第２のケースで、前記コネクタの一部を除いて前記組立体の全周を覆うと共に、前記第１と第２のケース内を密封した構成とした。
また、第３の解決手段として、前記第１のケースは、前記フィードホーンを覆うコップ状部と、前記組立体の後面側を覆う箱形部を有し、前記第１と第２のケースを前記組立体の前、後面側から覆うようにした構成とした。
【０００９】
【発明の実施の形態】
本発明の衛星放送受信用コンバータを図１、図２に基づいて説明すると、図１は本発明の衛星放送受信用コンバータの分解斜視図、図２は本発明の衛星放送受信用コンバータの要部断面図であり、図１、図２に示すように、フィードホーン１は、亜鉛ダイキャスト、或いは、合成樹脂の成型品の表面に金属メッキを施したものからなり、筒状部１ａと、孔１ｂを設けた取付用の鍔部１ｃとを有している。
【００１０】
また、折り曲げされた金属板等からなり、前面側、及び後面側が開放された枠体２は、口型の側壁２ａと、枠体２内を区画する区画壁２ｂと、枠体２内設けられた導波管部を構成する口型部２ｃとを有し、この枠体１の側壁１ａには、コンバータから屋内に導くためのコネクタ３が取り付けられている。
また、プリント基板等からなる回路基板４は、銅箔等からなり、前面側のほぼ全面に設けられた導電部４ａ（斜線部分）と、フィードホーン１の筒状部１ａに対向して設けられた３個の孔４ｂによって形成された架橋片の上面に設けられた第１の短絡部４ｃ、架橋片の下面に設けられた第２のプローブ４ｄと、回路基板４に設けられた孔４ｅとを有する。
また、回路基板４の後面側には、導電パターン（図示せず）が設けられて、受信回路を構成する種々の電気部品（図示せず）が搭載されている。
【００１１】
また、Ｌ字状の第１のプローブ５は、回路基板４の前面側に取り付けられ、そして、第１のプローブ５を取り付けた回路基板４の全面には、筒状部１ａ内に第１のプローブ５を位置させた状態で、フィードホーン１の鍔部１ｂを載置し、回路基板４の後面側からネジ１２を、孔４ｅに通して孔１ｂにねじ込みして、回路基板４にフィードホーン１を取り付けると共に、この回路基板４を枠体２の全面開放部に載置し、枠体２の側壁２ａをカシメて、回路基板４を枠体２に取り付けている。
この時、回路基板４の後面側の電気部品が区画壁２ｂによってシールドされると共に、第２のプローブ４ｄは、枠体２の口型部２ｃで囲まれた状態となっている。
【００１２】
また、カバー６は、金属板等からなり、このカバーは、枠体２の後面側開放部を覆うように枠体２に取り付けられて、カバー６の一部が第２の短絡部６ａ形成している。
そして、このようにフィードホーン１、回路基板４、枠体２、及びカバー６を組み合わせることによって組立体７が構成されている。
このようにして組立体７が構成された際、第１のプローブ５は、フィードホーン１の筒状部１ａ内に位置すると共に、回路基板４の３個の孔４ｂの前面側は、筒状部１ａで囲まれ、第１のプローブ５に対して回路基板４の第１の短絡部４ｃが短絡面となり、第１のプローブ５と第１の短絡部４ｃ間が１／４波長となり、また、回路基板４の３個の孔４ｂの後面側は、枠体２の口型部２ｃで囲まれ、回路基板４に設けられた第２のプローブ４ｄに対してカバー６の第２の短絡部６ａが短絡面となり、第２のプローブ４ｄと第２の短絡部６ａ間が１／４波長となっている。
【００１３】
また、２個に分割された第１と第２のケース８、９は、合成樹脂の成型品からなり、第１のケース８は、前面が薄肉となったフィードホーン１を覆うコップ状部８ａと、組立体７の前面部を覆う箱状部８ｂとを有し、また、第２のケース９は、組立体７の後面側を覆う箱形部９ａを有している。
そして、第１のケース８で、フィードホーン１と組立体７の前面側を覆うと共に、第２のケース９で、組立体７の後面側を覆っている。
また、この第１と第２のケース８、９の組合せ時、第１と第２のケース８と９間にはパッキン１０が、また、コネクタ３と第１、第２ケースの８、９間にはパッキン１１が設けられて、コネクタ３の一部を第１、第２のケース８、９から露出した状態で第１と第２のケース８と９を互いに適宜手段で結合し、第１、第２のケース８、９内を密封し、第１、第２のケース８、９内を防水している。
【００１４】
【発明の効果】
本発明の衛星放送受信用コンバータは、フィードホーン１を取り付けた回路基板４を枠体２に取り付けると共に、枠体２にカバー６を取り付けて組立体７を構成したため、従来の筺体３１の箱形部３１ｃが不要となり、小型で、安価な衛星放送受信用コンバータを提供できる。
また、組立体７を覆うケースは、２個のケース８、９で構成したため、従来の３個のケース３８、３９、４０に比して、生産性、並びに組立性が簡単で、安価な衛星放送受信用コンバーターを提供できる。
また、第１のケース８は、フィードホーン１を覆うコップ状部８ａと、組立体７の前面側を覆う箱状部８ｂとを有し、また、第２のケース９は、組立体７の後面側を覆う箱形部９ａを有し、第１と第２のケース８、９を組立体７の前、後面側から覆うようにしたため、第１と第２のケース８、９の形状が簡素化されて成形が容易であると共に、その組合せも簡単となり、組立性の良好な衛星放送受信用コンバータを提供できる。
【図面の簡単な説明】
【図１】本発明の衛星放送受信用コンバータの分解斜視図。
【図２】本発明の衛星放送受信用コンバータの要部の断面図。
【図３】従来の衛星放送受信用コンバータの分解斜視図。
【符号の説明】
１  フィードホーン
１ａ  筒状部
１ｂ  孔
１ｃ  鍔部
２  枠体
２ａ  側壁
２ｂ  区画壁
２ｃ  口型部
３  コネクタ
４  回路基板
４ａ  導電部
４ｂ  孔
４ｃ  第１の短絡部
４ｄ  第２のプローブ
４ｅ  孔
５  第１のプローブ
６  カバー
６ａ  第２の短絡部
７  組立体
８  第１のケース
８ａ  コップ状部
８ｂ  箱状部
９  第２のケース
９ａ  箱形部
１０  パッキン
１１  パッキン
１２  ネジ
【図１】
0003625675.tif 000002
【図２】
0003625675.tif 000003
【図３】
0003625675.tif 000004